(57)【要約】【課題】スコアを開口する時に一気に破断されることがなく、しかも飲料が飲みやすい缶蓋を提供する。【解決手段】飲料缶の缶蓋１において、スコア４の先端部に円弧状に突出する膨出部１１を設ける。また、スコア４の始端７において、軸方向後端部７ａをリベット５の中心から前方にオフセットさせる（Ｂ）。また、始端７の幅方向端部７ｂからリベット５の中心までの寸法（Ｃ）を、リベット５の中心と、リベット５の中心を通る軸線と第２破断部１０の膨出部１１とが交差する点との間の寸法である基準寸法（Ａ）の１７％から２５％の長さにする。タブ６によって破断開口部１２が開口されると、膨出部１１によりスコアの開口が制動される。また、飲み口には膨出部１１の形状に沿って凹部ができるので、飲料が飲み口の幅方向に広がりにくく飲みやすくなる。また、飲料の液切れもよくなり、液溜まりが非常に少なくなる。【選択図】  図２
2006315704.tif 000002
【特許請求の範囲】
【請求項１】
缶胴の開口部に取り付けられるパネルと、前記パネルの中央近傍に位置するリベットにより固定されその前方に位置して前記パネルを押圧する押圧部とその後方に位置して利用者に把持される把持部とを有するタブと、前記パネルに始端と終端とが間隔をなして位置し始端から前記リベット近傍を通過する第１破断部と前記第１破断部から連続して前記パネルの外周に向けて湾曲し前記終端に連続する第２破断部とを備えたスコアと、前記スコアによって包囲形成された破断開口部とを備え、前記タブの押圧部によって前記スコアを破断しつつ前記破断開口部をパネルの裏面方向に押し下げて破断開口部を開口すると共に開口することによって形成される破断開口片の一部がパネルに繋がった状態でパネルの裏面側に折り込まれるステイオンタブ式缶蓋において、
前記パネルの平面において前記タブの前後方向を軸方向としたときに、前記スコアは、前記リベット中心を通って軸方向に延びる線と前記第２破断部とが交差する箇所に、前記第２破断部の一部として前記パネルの外周縁に向けて円弧状に突出する膨出部を備えていることを特徴とするステイオンタブ式缶蓋。
【請求項２】
前記第１破断部は前記始端から後方に向けて円弧状に膨出すると共に前記リベットの前方に向かう始端湾曲部を有し、
前記パネルの平面において前記軸方向に直交する方向を幅方向とし、前記リベット中心を通って軸方向に延びる線と前記第２破断部とが交差する点から前記リベット中心までの寸法を基準寸法としたときに、
前記始端湾曲部の軸方向後端部が前記リベット中心に対して軸方向前方に所定量オフセットされると共に、前記スコア始端の幅方向端部から前記リベット中心までの寸法が前記基準寸法に対して１７％から２５％の割合に形成されていることを特徴とする請求項１に記載のステイオンタブ式缶蓋。
【請求項３】
前記タブは、前記リベットより前方の押圧部が円弧状に形成され、前記リベットにより前記パネルに取り付けられる固定部と、前記固定部の側方及び後方を囲む切り込みとを有し、前記スコアの始端が位置する側の切り込みの先端部が他方の切り込みの先端部より前方に向けて突出すると共に、両先端部が前記リベットの前端部以上に前方に突出していることを特徴とする請求項１又は２に記載のステイオンタブ式缶蓋。
【請求項４】
前記タブの押圧部の裏面に、前記タブの軸方向中心線から前記スコアの始端とは反対側に位置する突起が設けられていることを特徴とする請求項１乃至３のいずれか１項に記載のステイオンタブ式缶蓋。
【発明の詳細な説明】
【技術分野】
【０００１】
本発明は、ステイオンタブ式缶蓋の改良に関する。
【背景技術】
【０００２】
ステイオンタブ式缶蓋は、主に飲料缶の缶蓋に用いられており、パネル上にリベットを介して固着されたタブの後端部の把持部を持ち上げることによって破断開口部に沿って形成されたスコアを破断したとき、破断開口片の一部がパネルに繋がった状態でパネルの裏面側に折り込まれて開口される。この開口時の作動を詳しく説明すれば、まず、タブの把持部に指を掛けて引き上げたとき、初期段階では、タブ先端の押圧部が破断開口部上に当接して支点とされ、リベットに引き上げ方向の力が生じる。更にタブの把持部を引き上げたとき、リベット側に形成されたスコアに初期破断が生じ、連続的にスコアの破断が開始される。そして更に、連続してタブの把持部を引き上げたとき、前記初期破断の直後からは、リベットが支点とされて、タブ先端の押圧部が、破断開口片を押圧してスコアの破断が続けられる。その後、タブの押圧部がスコアに沿って破断された破断開口片を缶蓋の裏面側に押し下げ、開口作業が完了する。
【０００３】
ところで、近年では需用者からスコアが破断された後の飲み口から注ぎ出される飲料の量が少ないので、もう少し飲み口を大きくして欲しいという要望が多い。そこで、近年では破断開口部を幅方向（パネルの平面上においてタブの軸方向と直交する方向）に広めに形成し、内容物の単位時間当たりの注ぎ出し量を多くする対策がなされている（下記特許文献１参照）。
【０００４】
しかしながら、幅方向に広い破断開口部を有する缶蓋においては、タブを起こしてスコアを開口する際にスコアが一気に開口してしまい、飲料等の内容物が外部に飛び散ることがあった。また、幅方向に広い破断開口部を有する缶蓋では、飲料等を注ぎ出す際に飲料等が破断開口部に沿って広がった状態で注ぎ出されるため、利用者が直接口から飲もうとすると口から外にこぼれたり、開口幅の狭いコップなどに飲料等を注ぐ際にはコップの口から外にこぼれてしまうおそれがある。
【特許文献１】特開平１０−２９６３６２号公報
【発明の開示】
【発明が解決しようとする課題】
【０００５】
本発明は、ステイオンタブ式缶蓋の改良を目的とし、さらに詳しくは前記不都合を解消するために、破断開口部を開口する時にスコアが一気に破断されることがない缶蓋を提供することを目的とする。また、本発明は、利用者が直接開口部に口を付けて内容物を飲む際には飲みやすく、内容物を注ぎ出す際には開口幅の狭いコップ等にも容易に注ぐことができる缶蓋を提供することを目的とする。
【課題を解決するための手段】
【０００６】
前記目的を達成するために、本発明のステイオンタブ式缶蓋は、缶胴の開口部に取り付けられるパネルと、前記パネルの中央近傍に位置するリベットにより固定されその前方に位置して前記パネルを押圧する押圧部とその後方に位置して利用者に把持される把持部とを有するタブと、前記パネルに始端と終端とが間隔をなして位置し始端から前記リベット近傍を通過する第１破断部と前記第１破断部から連続して前記パネルの外周に向けて湾曲し前記終端に連続する第２破断部とを備えたスコアと、前記スコアによって包囲形成された破断開口部とを備え、前記タブの押圧部によって前記スコアを破断しつつ前記破断開口部をパネルの裏面方向に押し下げて破断開口部を開口すると共に開口することによって形成される破断開口片の一部がパネルに繋がった状態でパネルの裏面側に折り込まれるステイオンタブ式缶蓋において、前記パネルの平面において前記タブの前後方向を軸方向としたときに、前記スコアは、前記リベット中心を通って軸方向に延びる線と前記第２破断部とが交差する箇所に、前記第２破断部の一部として前記パネルの外周縁に向けて円弧状に突出する膨出部を備えていることを特徴とする。
【０００７】
本発明のステイオンタブ式缶蓋においてタブによりスコアを破断するときは、タブの把持部を押し上げることによりタブの押圧部によって前記第１破断部が破断され、さらなるタブの押し上げによって第１破断部から第２破断部へスコアの破断が進行する。そして、前記第２破断部のスコアの破断が進行して前記膨出部まで達したときは、前記膨出部によりスコアの破断する方向が変更されるのでスコアの破断に制動力が働く。これにより、従来のようにスコアが一気に破断することが抑制されるので、内容物の外部への飛散が抑制される。また、この状態からさらにタブを押し上げると、前記膨出部及びそれに続く第２破断部が破断され、前記破断開口部が開口される。
【０００８】
このように、前記破断開口部が開口されると、前記パネルの破断形状は、前記膨出部によって前記パネルの外周縁近傍が円弧状に切り取られた形状となる。従って、内容物を注ぎ出す際にはその円弧状に切り取られた部分を中心に内容物が注ぎ出されるため、従来の単に幅方向に広い開口部を有する缶蓋に比べて注ぎ出される内容物の幅が狭まるので、本発明の缶蓋を飲料缶として用いた場合は、購入者が内容物である飲料を飲む際には飲みやすくなり、開口幅の狭いコップなどに内容物を注ぐ際には注ぎやすくなる。さらに、前記膨出部が切り取られることにより生じる凹部から内容物を注ぎ出すことができるので、内容物の液切れが良好なものとなると共に、液溜まりが非常に少なくなる。
【０００９】
また、本発明のステイオンタブ式缶蓋においては、前記第１破断部は前記始端から後方に向けて円弧状に膨出すると共に前記リベットの前方に向かう始端湾曲部を有し、前記パネルの平面において前記軸方向に直交する方向を幅方向とし、前記リベット中心を通って軸方向に延びる線と前記第２破断部とが交差する点から前記リベット中心までの寸法を基準寸法としたときに、前記始端湾曲部の軸方向後端部が前記リベット中心に対して軸方向前方に所定量オフセットされると共に、前記スコア始端の幅方向端部から前記リベット中心までの寸法が前記基準寸法に対して１７％から２５％の割合に形成されていることが好ましい。
【００１０】
前記第２破断部に前記膨出部を設けた場合、前記タブの押圧部から破断されるスコアまでの寸法が若干長くなるが、前記スコアの始端湾曲部の軸方向後端部を軸方向前方にオフセットすると共に前記スコア始端の幅方向端部から前記リベット中心までの寸法を前記基準寸法に対して１７％から２５％に形成することにより、前記第１破断部が破断された際のタブの起きあがり量が抑制されるので、前記膨出部にタブの押圧力が及びやすい。このため、前記膨出部を設けた場合でも開口不良等の防止効果が得られる。尚、この割合は小数点以下を四捨五入したものである。
【００１１】
ここで、前記スコア始端の幅方向端部から前記リベット中心までの寸法が前記基準寸法の１７％未満になると、前記第１破断部に生じる応力が大きくなるため、スコアではない箇所、例えばリベット近傍の肉厚が薄くなっている部分に亀裂が入り、結果として開口不良となるおそれがある。また、前記スコア始端の幅方向端部から前記リベット中心までの寸法が前記基準寸法の２５％を越えると、前記第１破断部が破断された際にタブの起きあがり量が大きくなり、第２破断部が終端まで破断されずに開口不良となるおそれがある。
【００１２】
また、本発明のステイオンタブ式缶蓋においては、前記タブは、前記リベットより前方の押圧部が円弧状に形成され、前記リベットにより前記パネルに取り付けられる固定部と、前記固定部の側方及び後方を囲む切り込みとを有し、前記スコアの始端が位置する側の切り込みの先端部が他方の切り込みの先端部より前方に向けて突出していることが好ましい。
【００１３】
前記タブを起立させたときは、前記固定部の両側にある切り込みの先端部を結ぶ線を軸として起立する。このため、前記スコアの始端が位置する側の切り込みの先端が他方の切り込みの先端よりも前方に突出しているときは、前記タブが起立する際の軸が傾斜する。このように前記タブが起立する際の軸が傾斜すると、前記把持部が引き上げられた際に前記押圧部において最も力が加わる点が前記スコアの始端と反対側、即ち前記第１破断部に連続する第２破断部側に移動する。このため、前記第１破断部が破断され、次いで前記第２破断部が破断される際には前記第２破断部が破断される方向に前記タブからの押圧力が作用するので、前記スコアの破断が円滑に行われる。
【００１４】
また、前記タブの押圧部は円弧状に形成されているので、前記タブを起こす角度が大きくなるにつれて、前記パネルの表面に当接する前記タブの押圧部の当接位置が押圧部の中央から徐々に前記スコアの始端及び終端の方向に向けて移動していく。本発明のステイオンタブ式缶蓋では、前記タブが起立する際の軸が傾斜しているので、前記スコアの膨出部の後端（前記スコアの終端側端部）近傍までスコアが破断されるときに、従来のタブで押圧した場合に比べて前記当接位置が前記押圧部の中央寄りに位置するようになる。これにより、前記当接位置が従来のタブに比べてタブの傾動時の軸よりも離れた位置となるため、前記タブにより前記破断開口部を大きく押し込むことができるので、前記スコアの破断を容易に行うことができる。
【００１５】
さらに、前記タブを前記パネルから９０゜以上傾動させた際には、前記タブが起立する際の軸が傾斜しているので、前記タブの押圧部が前記破断開口部が折り込まれる側に押し込まれる。また、前記タブが起立する際の軸が傾斜していることにより、従来のタブに比べて前記パネルに当接する前記押圧部の当接位置がタブの傾動時の軸よりも離れた位置となるため、前記破断開口部に効率よくタブの力を及ぼすことができる。このため、前記スコアを終端部またはその近傍まで確実に破断することができる。これにより、前記スコアの破断が前記膨出部で制動された場合であっても、前記タブの押圧力が前記スコアに及びやすいので、スコアの開口が容易に行われる。
【００１６】
また、本発明のステイオンタブ式缶蓋においては、前記タブの押圧部の裏面に、前記タブの軸方向中心線から前記スコアの始端とは反対側に位置する突起が設けられていることが好ましい。このように、前記タブの押圧部に前記突起が設けられているときは、前記第１破断部が破断され、次いで前記第２破断部が破断される際には前記第２破断部が破断される方向に前記タブからの押圧力が作用するので、前記スコアの破断が円滑に行われる。また、前記膨出部が破断される際にも前記突起により前記タブからの押圧力が前記膨出部に及びやすいので、前記スコアの破断を容易に行うことができる。さらに、前記突起が前記破断開口部の表面に当接している状態では、突起の設けられていない側の押圧部の裏面と前記破断開口部との表面には間隙が生じている。従って、前記スコアの第１破断部を破断する初期破断の際に前記把持部を持ち上げると、突起が設けられていない側の押圧部が前記間隙の分だけ移動して前記破断開口部に当接する。これにより、前記把持部が持ち上げられるので、スコアの初期破断が容易となる。
【発明を実施するための最良の形態】
【００１７】
次に、本発明のステイオンタブ式缶蓋の実施形態の一例について、図１乃至図６を参照して説明する。本実施形態の缶蓋１は、図１に示すように、飲料缶２の天蓋として使用されており、パネル３の表面にはスコア４が刻設され、リベット５を介してタブ６が取り付けられている。本実施形態においては、図１における上下方向、即ちタブの軸線方向を軸方向とし、左右方向、即ち軸方向と直交する方向を幅方向として説明する。
【００１８】
スコア４は、図２において、始端７と終端８とがパネル３の中心から左側に位置しており、始端７からリベット５の近傍を通って幅方向に延びる第１破断部９と、第１破断部９の終点から終端８まで湾曲して延びる第２破断部１０とを有している。また、第２破断部１０の略中央部分には、軸方向前方（図１において下方向）に向けて円弧状に突出する膨出部１１が設けられている。また、符号７ａはスコア４の始端７の始端湾曲部の軸方向の後端部を示し、符号７ｂはスコア４の始端７の幅方向端部を示す。パネル３において、このスコア４によって囲まれる部分が破断開口部１２となり、スコア４がすべて破断された際には破断開口片となる。
【００１９】
図２における一点鎖線は、第１破断部９と第２破断部１０との境界線を示す。また、図２においては、スコア４は２重線となっているが、実際に破断されるのは２重線の外側の線のみであり、内側の線は外側の線を刻設する際に加工歪みを最小限に抑えると共に、外側の線が破断されやすいように設けられた補助スコアである。また、図２において膨出部１１の近傍に点線で表されているのは従来のスコアの形状である。また、パネル３の破断開口部１２を囲むスコア４がすべて破断されると、パネル３上に飲み口が形成されると共に、タブ６によりパネル３の裏面に折り込まれる破断開口片が形成される。
【００２０】
本実施形態の缶蓋１におけるタブ６は、図３に示すように、指をかけて上方に引き上げるための把持部１３と、破断開口部１２を押圧する円弧状の押圧部１４と、リベット５に固定される固定部１５と、この固定部１５の周囲を略コ字状に囲む切り込み１６とを有している。この切り込み１６の図３における左側の端部１６ａは、右側の端部１６ｂに比べて下方に長く伸びている。従って、タブ６の把持部１３が引き上げられたときは、この切り込みの端部１６ａと端部１６ｂとを結ぶ傾動軸１７を軸としてタブ６が傾動することになる。
【００２１】
従って、把持部１３を引き上げた際に押圧部１４において最も力が加わる点を被押圧点１８とすると、図２に示すように、リベット５の中心を通る軸線方向を基準として、スコア４の始端７及び終端８が設けられている側とは反対側である右側に被押圧点１８がオフセットすることになる。尚、タブ６の切り込み１６の端部１６ａ，１６ｂの突出量が同一であり、押圧部１４に後述する突起１９が設けられていない状態では、被押圧点１８はリベット５の中心を通る軸線上に位置する。
【００２２】
また、本実施形態では、パネル３に取り付けられる前のタブ６について、固定部１５の位置を従来のタブに比べてパネル３側に向けて深く沈ませている。従来のタブの固定部は、タブをパネルの表面に載置した際にある程度浮き上がるようにしており、リベットで固定することによりタブをパネル側に強く押し付けるようにしている。本実施形態においては、固定部１５の浮き上がり量を減らし、タブ６をパネル３に載置した際に固定部５がパネルの表面に当接するようにしている。そして、リベット５で固定部１５を固定した際に、タブ６の押圧部１４の裏面がパネル３の破断開口部１２の表面に当接するようにし、タブ６がパネル３に強く押し付けられないよう軽く当接するようにしている。
【００２３】
次に、本実施形態の缶蓋１の各部の寸法について説明する。本実施形態では、図２に示すように、リベット５の中心と、リベット５の中心を通る軸線と第２破断部１０の膨出部１１とが交差する点との間の寸法を基準寸法Ａとしている。本実施形態では、この基準寸法Ａは２０．２ｍｍである。また、タブ６の長さＨは２４．２ｍｍ、タブ６の幅Ｇは１６．０ｍｍである（寸法はいずれも小数点第２位以下を四捨五入。以下同じ。）。
【００２４】
また、スコア始端湾曲部の軸方向後端部７ａのリベット５中心からの軸方向のオフセット量Ｂは、基準寸法Ａの約５．０％である１．０ｍｍに設定されている。また、スコア始端７の幅方向端部７ｂからリベット５中心までの長さＣは、基準寸法Ａの約２３．８％である４．８ｍｍに設定されている。また、スコア４の膨出部１１の軸方向の突出量Ｄは、基準寸法Ａの約９．９％の２ｍｍであり、膨出部１１の幅Ｆはタブ６の幅Ｇの約８３％の１３．２ｍｍとしている。また、タブ６の切り込み１６の端部１６ａ，１６ｂの突出量の差Ｅは、基準寸法Ａの約５．０％である１．０ｍｍに設定されている。
【００２５】
本実施形態では、各部の寸法の範囲は以下の通りとなる。まず、スコア始端湾曲部の軸方向後端部７ａのオフセット量Ｂは、基準寸法Ａの約２．５％から５．９％とすることが好ましく、本実施形態では０．５ｍｍから１．２ｍｍの範囲となる。また、スコア始端７の幅方向の端部７ｂからリベット５の中心までの寸法Ｃは、基準寸法Ａの約１７．３％から２４．８％とすることが好ましく、本実施形態では３．５ｍｍから５．０ｍｍの範囲となる。このオフセット量Ｂが上限値を上回り、寸法Ｃが下限値を下回るとスコア４の初期破断時に第１破断部９に大きな力が加わり、スコア４以外の箇所に破断が及ぶおそれがある。一方、このオフセット量Ｂが下限値を下回り、寸法Ｃが上限値を上回るとスコア４の初期破断時にタブ６の起立量が大きくなりすぎ、スコア４の開口不良となるおそれがある。
【００２６】
また、膨出部１１の軸方向の突出量Ｄは、基準寸法Ａの約０．５％から１４．９％の０．１ｍｍから３．０ｍｍの範囲となる。この膨出部１１の突出量Ｄが上限値を上回ると、スコア４の破断時に制動力が大きくなりすぎるため、スコア４の開口不良となるおそれがある。また、この膨出部１１の突出量Ｄが下限値を下回ると、スコア４の破断時に制動力が不足すると共に、内容物の注ぎ出しにおいて狭い口のコップに注ぎにくい等の不都合が生じる。
【００２７】
また、膨出部１１の幅方向の寸法Ｆは、タブ６の幅Ｇの９０％以内が好ましく、本実施形態では１４．４ｍｍ以下となる。膨出部１１の幅方向の寸法Ｆがタブ６の幅Ｇの９０％を越えると、破断開口部１２が開口されて形成される飲み口の中にタブ６が潜り込み、タブ６が飲み口を塞いでしまって内容物が注ぎ出しにくくなるおそれがある。また、膨出部１１の幅Ｆの最小値は、スコア４の第２破断部１０全体の幅等に応じて適宜決定する。
【００２８】
また、タブ６の切り込み１６の端部１６ａ，１６ｂについては、突出量の差Ｅが基準寸法Ａの約１．０％から７．４％程度とし、本実施形態では０．２ｍｍから１．５ｍｍとしている。この突出量の差Ｅがその下限値よりも小さいと、タブ６が起立された際の傾きが不十分となり、開口性を向上させる効果が十分得られない。逆に、突出量の差Ｅがその上限値よりも大きいと、タブ６が起立された際の傾きが強くなりすぎ、破断開口部１２に十分力を伝えられなくなるため、スコア４の開口不良を起こすおそれがある。
【００２９】
尚、従来から用いられている通常の缶蓋についてスコア始端の位置を調べたところ、スコア始端の幅方向の端部からリベット中心までの寸法Ｃは基準寸法Ａの２６．３％から２９．８％となっていた。このように、従来の缶蓋には、寸法Ｃが基準寸法Ａの１７％から２５％の範囲内に入るものはなかった。
【００３０】
次に、以上のように構成された缶蓋１の開口操作について説明する。飲料缶２内の飲料を飲む際には、まず利用者がタブ６の把持部１３に指をかけて上方に引き上げる。本実施形態においては、上述のようにタブ６の固定部１５のパネル３側への沈み量を調節することにより、タブ６がパネル３に軽く当接するように形成されているため、利用者は把持部１３を容易に上方に引き上げることができる。
【００３１】
タブ６の把持部１３の持ち上げによって、押圧部１４が破断開口部１２の表面に押圧されると、押圧部１４が支点となってリベット５が上方に押し上げられ、スコア４の第１破断部９が破断する。この状態からさらにタブ６の把持部１３を引き上げると、切り込み１６の左右端部１６ａ，１６ｂを結ぶ傾動軸１７を軸にしてタブ６が傾動される。このタブ６の動きに応じて、スコア４の第１破断部９から破断位置が第２破断部１０に移動していき、膨出部１１の右側端部まで到達する。このとき、被押圧点１８が図２において右側にオフセットされているので、スコア４の破断位置には図２においてリベット５の中心から幅方向右側に力が加わるため、スコア４の破断が円滑に行われる。
【００３２】
また、スコア４の破断位置が膨出部１１まで達すると、スコア４が破断される方向が変化するため、その変化時の抵抗によってスコア４の破断に制動力が作用する。これにより、従来のようにスコア４が一気に開口して内容物である飲料が外部に飛び散ることが防止される。
【００３３】
また、膨出部１１の右側端部に達した破断箇所は、タブ６のさらなる引き上げ動作により徐々に膨出部１１を進行し、最終的にスコア４の終端８に到達する。このとき、タブ６の固定部１５における傾動軸１７が傾斜しているため、タブ６の角度が側面視で９０゜を越えて傾動された場合に、破断開口部１２の折れ曲がり方向に向かってタブ６の押圧部１４が押し込まれる。また、また、タブ６が起立する際の傾動軸１７が傾斜していることにより、タブ６を起こす角度が同一の場合、従来のタブに比べて破断開口部１２に当接する押圧部１４の当接位置が中央側（図３における押圧部１４の下端部側）に近くなる。
【００３４】
このように、従来のタブに比べて、タブを起こす角度が同一であっても押圧部１４の当接位置が傾動軸１７から離れた位置となるため、押圧部１４によって破断開口部１２をより奥まで押し付けることができる。従って、タブ６によってスコア４を終端８またはその近傍まで確実に破断することができる。これにより、破断開口部１２の周囲のスコア４がすべて破断されると共に、スコア４の破断により形成される破断開口片がパネル３の裏面に折り込まれる。
【００３５】
本実施形態では、スコア始端湾曲部の軸方向後端部７ａがリベット５の中心から前方にオフセットされており、幅方向端部７ｂからリベット５中心までの長さＣが基準寸法Ａの約２３．８％とされているため、タブ６によってスコア４を破断する際に、タブ６の起きあがり量が従来の缶蓋よりも抑制されるので、膨出部１１及びその後方のスコア４も容易に開口することができる。その後、従来のタブと同様にタブ６の把持部１３をパネル３の表面側に戻して開口操作が終了する。
【００３６】
そして、スコア４がすべて破断され、破断開口部１２が破断開口片となってパネル３の裏面側に折返されたときは、飲み口の下端部に膨出部１１が切り取られることによって生じた凹部が形成されるので、飲料をコップ等に注ぐ場合には、この凹部を中心に飲料が注ぎ出される。従って、飲み口から注ぎ出される飲料の幅は従来のスコアにより切り取られた飲み口の場合に比べて広がりが少なくなる。また、利用者が飲料を直接飲む場合でも、注ぎ出される飲料が幅方向に広がりすぎないので、快適に飲料を飲むことができる。さらに、飲み口において膨出部１１が切り取られることによって生じた凹部から飲料が注ぎ出されるので、液切れがよくなると共に液溜まりが非常に少なくなる。
【００３７】
次に、本発明のステイオンタブ式缶蓋の変形例について図４乃至図６を参照して説明する。図４は本変形例の缶蓋１’が取り付けられた飲料缶２’の平面図である。図５は、本変形例の缶蓋１’に使用されるタブ６’を裏面から見た斜視図である。本変形例の缶蓋１’では、タブ６’の押圧部１４’の形状が上記実施形態と異なっている。具体的には、図４及び図５に示すように、タブ６’の押圧部１４’の裏面に、破断開口部１２の表面に向けて突出する突起１９が設けられている。このタブ６’は、従来と同様にアルミ板をプレス加工することにより形成しており、そのプレス加工の際に押圧部１４’の一部が突起１９として突出するように形成したものである。
【００３８】
このように、本変形例の缶蓋１’はタブ６’の押圧部１４’に突起１９が設けられているので、パネル３に取り付けられたときは、図６に示すように、突起１９が破断開口部１２の表面に当接し、突起が設けられていない押圧部１４’の裏面と破断開口部１２との間には間隙２０が生じている。尚、その他の構成は、上記実施形態と同様であるので詳細な説明は省略する。
【００３９】
次に以上のように構成された缶蓋１’の開口操作について説明する。まず、タブ６’の把持部１３に指をかけて上方に引き上げる。本変形例においては、図６において左側のタブ６’の押圧部１４’の裏面と破断開口部１２との間には間隙２０があるため、押圧部１４’の左側の裏面が破断開口部１２の表面に当接するまで把持部１３が軽い力で引き上げられる。
【００４０】
この状態からさらに把持部１３を引き上げると、突起１９及び左側の押圧部１４’とが支点となってリベット５が上方に押し上げられ、スコア４の第１破断部９が破断される。この状態からさらにタブ６’の把持部１３を引き上げると、切り込み１６の左右端部を結ぶ傾動軸１７を軸にしてタブ６’が傾動される。そして、このタブ６’の動きに応じて、スコア４の第１破断部９から破断位置が第２破断部１０に移動していき、膨出部１１の端部まで到達する。このとき、傾動軸１７は傾きを持っており、さらに破断開口部１２は突起１９によって押圧されるので、スコア４の破断の方向にタブ６’の押圧力が作用するため、スコア４の第２破断部１０は容易に破断される。また、スコア４の破断位置が膨出部１１まで達すると、スコア４が破断される方向が変化するため、その変化時の抵抗によってスコア４の破断に制動力が作用する。
【００４１】
また、膨出部１１に達した破断箇所は、タブ６’のさらなる引き上げ動作により徐々に膨出部１１を進行する。このとき、タブ６’の突起１９によって破断開口部１２が押圧されるので、膨出部１１までタブ６’の押圧力を有効に作用させることができる。また、タブ６’をさらに傾動させると、破断開口部１２の表面にはタブ６’の突起１９ではなく円弧状の押圧部１４’が当接し、破断開口部１２がパネル３の裏面にまで折り返される。このときも、傾動軸１７が傾斜しているため、押圧部１４’が破断開口部１２の折返される方向に押し込まれるため、破断箇所が最終的にスコア４の終端８に到達する。これにより、破断開口部１２の周囲のスコア４がすべて破断されると共に、スコア４の破断により形成される破断開口片がパネル３の裏面に折り込まれる。
【００４２】
尚、上記実施形態及び変形例における寸法は、３５０ｍｌ入りの飲料缶を例にして説明したが、これに限らず、上記寸法の比率を保てば缶コーヒー等に多く用いられている２００ｍｌ入りの飲料缶に適用してもよい。また、上記実施形態及び変形例においては、飲料缶の缶蓋を例にして説明したが、これに限らず、内容物が液体である他の缶容器の缶蓋としてもよい。
【図面の簡単な説明】
【００４３】
【図１】本発明の実施形態の一例である缶蓋を飲料缶に用いた状態を示す平面図。
【図２】図１の缶蓋のリベットとスコアとの関係を示す説明的平面図。
【図３】図１の缶蓋に用いられるタブを示す説明的平面図。
【図４】本発明の変形例である缶蓋を示す平面図。
【図５】図４の缶蓋に用いられるタブを裏面から見た説明図。
【図６】図４の缶蓋のタブ先端部を前方から見た説明的一部断面図。
【符号の説明】
【００４４】
１…缶蓋、３…パネル、４…スコア、５…リベット、６…タブ、始端…７、終端…８、９…第１破断部、１０…第２破断部、１１…膨出部、１２…破断開口部。
【図１】
2006315704.tif 000003
【図２】
2006315704.tif 000004
【図３】
2006315704.tif 000005
【図４】
2006315704.tif 000006
【図５】
2006315704.tif 000007
【図６】
2006315704.tif 000008